(57)【要約】【課題】複数の画像形成装置の中から情報処理装置側の操作によって印刷処理を実行させる場合に、印刷に用いる画像形成装置を指定する操作性を向上して当該画像形成装置での印刷処理を簡易にする。【解決手段】情報処理装置１は、画像形成装置２の予め定められた撮像画像を予め記憶する記憶部１９と、印刷処理用のジョブを作成するジョブ作成部２５と、ジョブに対応付けられたアイコンを作成するアイコン作成部２６と、撮像部１５が撮像した画像形成装置２の撮像画像と記憶部１９に記憶されている撮像画像とのパターンマッチングを行って、撮像部１５が撮像した画像形成装置２を特定する特定部２７と、通信制御部２４とを備える。通信制御部２４は、フリック操作されたアイコンに対応付けられたジョブを、通信部１６からネットワークを通じて特定部２７が特定した画像形成装置２に向けて送信させる。【選択図】図２
2018133052.tif 000002
【特許請求の範囲】
【請求項１】
表示部と、
ユーザーからの操作指示を受け付ける操作受付部と、
撮像を行う撮像部と、
ネットワークを通じて、画像形成装置との間でデータ通信を行う通信部と、
前記画像形成装置での印刷処理の対象となる少なくとも一つのドキュメントデータと、少なくとも一つの前記画像形成装置の予め定められた撮像画像と、を予め記憶した記憶部と、
前記操作受付部がユーザーから前記印刷処理の対象となるドキュメントデータを指定する要求と当該印刷処理での印刷条件を指定する要求とを受け付けた場合に、指定された前記ドキュメントデータと指定された前記印刷条件とを含んだ印刷処理用のジョブを作成して、作成したジョブを前記記憶部に記憶させるジョブ作成部と、
前記ジョブ作成部が前記ジョブを作成した場合に、当該ジョブに対応付けられたアイコンを作成するアイコン作成部と、
前記撮像部が撮像した画像形成装置の撮像画像と、前記記憶部に記憶されている前記撮像画像とのパターンマッチングを行って、前記撮像部が撮像した前記画像形成装置を特定する特定部と、
前記撮像部を起動して当該撮像部が撮像した前記画像形成装置の撮像画像を前記アイコン作成部が作成した前記アイコンとともに撮像画面として前記表示部に表示させ、ユーザーが前記撮像画面上で前記特定部が特定した画像形成装置に向かって前記アイコンをフリック操作したことを前記操作受付部が受け付けた場合、フリック操作された前記アイコンに対応付けられた前記ジョブを、前記通信部から前記ネットワークを通じて前記特定した画像形成装置に向けて送信させる動作制御部と、を備える情報処理装置。
【請求項２】
前記記憶部には、前記撮像画像が当該記憶部に予め記憶された画像形成装置のＩＰアドレスが予め記憶され、
前記動作制御部は、ユーザーが前記撮像画面上で前記特定部が特定した画像形成装置に向かって前記アイコンをフリック操作したことを前記操作受付部が受け付けた場合、前記特定した画像形成装置のＩＰアドレスを前記記憶部から取得し、取得した前記ＩＰアドレスを用いて、前記フリック操作されたアイコンに対応付けられた前記ジョブを、前記通信部から前記ネットワークを通じて前記特定した画像形成装置に向けて送信させる請求項１に記載の情報処理装置。
【請求項３】
前記動作制御部は、前記ジョブ作成部が前記ジョブを作成した場合に、前記ジョブの一覧を示すジョブリストを作成し、ユーザーに対して前記印刷処理の対象となるジョブの指定を促す指定画面と、この指定画面内に配置された前記ジョブリストとを前記表示部に表示させる請求項１又は請求項２に記載の情報処理装置。
【請求項４】
前記動作制御部は、前記特定部が画像形成装置を特定した場合、前記表示部に、その特定した画像形成装置を示す画像についてハイライト表示を行わせる請求項１乃至請求項３のいずれか１項に記載の情報処理装置。
【請求項５】
前記記憶部には、前記撮像画像が当該記憶部に予め記憶された画像形成装置の予め定められた機能情報が予め記憶され、
ユーザーが前記撮像画面上で前記特定部が特定した画像形成装置に向かって前記アイコンをフリック操作したことを前記操作受付部が受け付けた場合に、前記特定した画像形成装置の前記機能情報を用いて、フリック操作された前記アイコンに対応付けられた前記ジョブにおける印刷条件で当該画像形成装置において印刷処理を実行することができるかを判断する判断部を更に備え、
前記動作制御部は、前記ジョブにおける前記印刷条件で前記画像形成装置において印刷処理を実行することができないと前記判断部が判断した場合には、指示された前記アイコンに対応付けられた前記ジョブを、前記通信部から前記ネットワークを通じて前記特定した画像形成装置に向けて送信させることを中止する請求項１乃至請求項４のいずれか１項に記載の情報処理装置。
【請求項６】
前記動作制御部は、前記ジョブにおける前記印刷条件で前記画像形成装置において印刷処理を実行することができないと前記判断部が判断した場合に、前記撮像画面上での前記アイコンに対する予め定められた操作を前記操作受付部が受け付けた場合には、前記画像形成装置の前記機能情報を用いて、当該ジョブにおける前記印刷条件を当該画像形成装置で実行可能な印刷条件に変更して、変更した前記印刷条件を含んだジョブを、前記通信部から前記ネットワークを通じて前記特定した画像形成装置に向けて送信させる請求項５に記載の情報処理装置。
【請求項７】
前記予め定められた操作が、前記撮像画面上において、前記アイコンを時計回りに回転させる操作である請求項６に記載の情報処理装置。
【請求項８】
前記アイコン作成部は、前記ジョブに含まれた前記印刷条件でカラー印刷が指定されている場合と、前記ジョブに含まれた前記印刷条件でモノクロ印刷が指定されている場合とでは、互いに異なる表示方法で前記表示部に表示されるアイコンを作成する請求項１乃至請求項７のいずれか１項に記載の情報処理装置。
【請求項９】
情報処理装置と、ネットワークを介して前記情報処理装置に接続された画像形成装置とを備えた画像形成システムであって、
前記情報処理装置には、請求項１乃至請求項７のいずれか１項に記載の情報処理装置が用いられ、
前記画像形成装置は、
記録媒体に対して印刷処理を行う印刷部と、
前記情報処理装置から前記ジョブを受信する受信部と、
前記受信部が受信した前記ジョブに含まれた前記ドキュメントデータを、前記印刷部に適したプリンター言語からなるデータに変換し、変換した前記プリンター言語からなるデータを用いて、前記受信した前記ジョブに含まれた前記印刷条件に従って作成した印刷対象データを含んだ印刷ジョブを作成するプリンタードライバー部と、
前記プリンタードライバー部が作成した前記印刷ジョブに基づく印刷処理を前記印刷部に行わせる制御部と、を備える画像形成システム。
【発明の詳細な説明】
【技術分野】
【０００１】
本発明は、ネットワークを通じて画像形成装置に接続されるスマートフォンなどの情報処理装置、及びこれを用いた画像形成システムに関し、特に情報処理装置側の操作により画像形成装置に印刷処理を行わせる技術に関する。
【背景技術】
【０００２】
画像形成装置に対して、スマートフォンやタブレットＰＣ等の情報処理装置がネットワークを通じて指示を出すことにより、当該画像形成装置において印刷処理を実行させる技術が提案されている。例えば、下記特許文献１及び２に示されるように、情報処理装置が、複数の各画像形成装置を判別するとともに、ユーザーからの操作に従って、指定された画像形成装置に対して、ネットワークを通じて印刷処理に用いられるデータを送信して、当該印刷処理を行わせる技術が知られている。
【先行技術文献】
【特許文献】
【０００３】
【特許文献１】特開２０１５−０４６０５８号公報
【特許文献２】特開２０１４−０４８６７２号公報
【発明の概要】
【発明が解決しようとする課題】
【０００４】
しかしながら、上記特許文献１及び２の情報処理装置では、複数の各画像形成装置から直接的に、又は管理サーバ―を介して間接的に当該画像形成装置の位置情報、例えばＧＰＳによる緯度、経度、及び高度で規定される絶対位置を示す位置情報を取得し、取得した位置情報を用いて、画像形成装置の位置を示したマップを形成して、複数の各画像形成装置を判別していた。このため、このような従来の情報処理装置では、複数の各画像形成装置を判別する判別処理に時間を要するため、ユーザーは印刷処理を行わせたい画像形成装置を指定して操作することが難しい。
【０００５】
本発明は、上記の事情に鑑みなされたものであり、複数の画像形成装置の中から情報処理装置側の操作によって印刷処理を実行させる場合に、印刷に用いる画像形成装置を指定する操作性を向上して当該画像形成装置での印刷処理を簡易にすることを目的とする。
【課題を解決するための手段】
【０００６】
本発明の一局面に係る情報処理装置は、表示部と、ユーザーからの操作指示を受け付ける操作受付部と、撮像を行う撮像部と、ネットワークを通じて、画像形成装置との間でデータ通信を行う通信部と、前記画像形成装置での印刷処理の対象となる少なくとも一つのドキュメントデータと、少なくとも一つの前記画像形成装置の予め定められた撮像画像と、を予め記憶した記憶部と、前記操作受付部がユーザーから前記印刷処理の対象となるドキュメントデータを指定する要求と当該印刷処理での印刷条件を指定する要求とを受け付けた場合に、指定された前記ドキュメントデータと指定された前記印刷条件とを含んだ印刷処理用のジョブを作成して、作成したジョブを前記記憶部に記憶させるジョブ作成部と、前記ジョブ作成部が前記ジョブを作成した場合に、当該ジョブに対応付けられたアイコンを作成するアイコン作成部と、前記撮像部が撮像した画像形成装置の撮像画像と、前記記憶部に記憶されている前記撮像画像とのパターンマッチングを行って、前記撮像部が撮像した前記画像形成装置を特定する特定部と、前記撮像部を起動して当該撮像部が撮像した前記画像形成装置の撮像画像を前記アイコン作成部が作成した前記アイコンとともに撮像画面として前記表示部に表示させ、ユーザーが前記撮像画面上で前記特定部が特定した画像形成装置に向かって前記アイコンをフリック操作したことを前記操作受付部が受け付けた場合、フリック操作された前記アイコンに対応付けられた前記ジョブを、前記通信部から前記ネットワークを通じて前記特定した画像形成装置に向けて送信させる動作制御部と、を備えるものである。
【０００７】
また、本発明の他の一局面に係る画像形成システムは、情報処理装置と、ネットワークを介して前記情報処理装置に接続された画像形成装置とを備えた画像形成システムであって、前記情報処理装置には、上記情報処理装置が用いられ、前記画像形成装置は、記録媒体に対して印刷処理を行う印刷部と、前記情報処理装置から前記ジョブを受信する受信部と、前記受信部が受信した前記ジョブに含まれた前記ドキュメントデータを、前記印刷部に適したプリンター言語からなるデータに変換し、変換した前記プリンター言語からなるデータを用いて、前記受信した前記ジョブに含まれた前記印刷条件に従って作成した印刷対象データを含んだ印刷ジョブを作成するプリンタードライバー部と、前記プリンタードライバー部が作成した前記印刷ジョブに基づく印刷処理を前記印刷部に行わせる制御部と、を備えるものである。
【発明の効果】
【０００８】
本発明によれば、複数の画像形成装置の中から情報処理装置側の操作によって印刷処理を実行させる場合に、印刷に用いる画像形成装置を指定する操作性を向上して当該画像形成装置での印刷処理を簡易にする。
【図面の簡単な説明】
【０００９】
【図１】本発明の一実施形態に係る画像形成システムの全体を示す図である。
【図２】情報処理装置の要部構成を示す機能ブロック図である。
【図３】画像形成装置の要部構成を示す機能ブロック図である。
【図４】情報処理装置での処理の流れを示すフローチャートである。
【図５】情報処理装置での他の処理の流れを示すフローチャートである。
【図６】情報処理装置の表示部に表示される表示画面の一例を示した図である。
【図７Ａ】情報処理装置の表示部に表示される表示画面の一例を示した図である。
【図７Ｂ】情報処理装置の記憶部に記憶されるドキュメントデータの一例を示した図である。
【図７Ｃ】情報処理装置の記憶部に記憶されるジョブの一例を示した図である。
【図８】情報処理装置の表示部に表示される表示画面の一例を示した図である。
【図９Ａ】情報処理装置の表示部に表示される表示画面の一例を示した図である。
【図９Ｂ】情報処理装置の表示部に表示される表示画面の一例を示した図である。
【図１０Ａ】情報処理装置の表示部に表示される表示画面の一例を示した図である。
【図１０Ｂ】情報処理装置の表示部に表示される表示画面の一例を示した図である。
【図１１】情報処理装置の表示部に表示される表示画面の一例を示した図である。
【図１２】情報処理装置の表示部に表示される表示画面の一例を示した図である。
【図１３】情報処理装置の表示部に表示される表示画面の一例を示した図である。
【図１４】画像形成装置での処理の流れを示すフローチャートである。
【発明を実施するための形態】
【００１０】
以下、本発明の一実施形態にかかる情報処理装置、及び画像形成システムについて図面を参照して説明する。図１は、本発明の一実施形態に係る画像形成システムの全体を示す図である。図２は、情報処理装置の要部構成を示す機能ブロック図である。
【００１１】
図１に示す画像形成システム１００では、スマートフォンやタブレットＰＣなどの情報処理装置１が、例えばインターネット等のネットワークＮを通じて、複数の各画像形成装置２に接続可能となっており、情報処理装置1は、ユーザーが指定した画像形成装置２へ、印刷処理用のジョブ（データ）等を送信する。
【００１２】
図２に示すように、情報処理装置１は、制御ユニット１１と、表示部１２と、操作部１３と、タッチパネル１４と、撮像部１５と、通信部１６と、記憶部１９とを備えている。これらの構成要素は、互いにバスを通じてデータ又は信号の送受信が可能とされている。
【００１３】
表示部１２は、液晶ディスプレイ（ＬＣＤ：Liquid Crystal Display）や有機ＥＬ（ＯＬＥＤ：Organic Light-Emitting Diode）などから構成される。例えば、表示部１２の画面には、撮像部１５で撮像された撮像画像やアイコン等が表示される。
【００１４】
操作部１３は、キーボード及びこのキーボードに設けられたハードキーやポインティングデバイスなどである。
【００１５】
タッチパネル１４は、所謂抵抗膜方式や静電容量方式などのタッチパネルであり、表示部１２の画面に配置されている。また、タッチパネル１４は、当該タッチパネル１４に対するユーザーの指などの接触（タッチ）をその接触位置とともに検知して、その接触位置の座標を示す検知信号を制御ユニット１１の後述する制御部２１などに出力する。なお、操作部１３とタッチパネル１４とは、特許請求の範囲における操作受付部の一例である。
【００１６】
タッチパネル１４に行われるタッチ操作には、タップ操作、フリック操作やピンチアウト操作等のスライド操作などがある。例えば、ユーザーがタッチパネル１４上に指を接触させ、その後その接触位置から指を離すと、タッチパネル１４は、接触を検知した位置を示す検知信号を制御部２１に出力する。制御部２１は、当該検知信号を受け、例えば、ユーザーにより入力されたユーザー操作がタップ操作であることを特定する。
【００１７】
また、タッチパネル１４上に指を接触させた状態で指を移動させると、タッチパネル１４は、最初に接触を検出した初期位置から最後に接触を検出した最終位置までの各移動位置を示す検知信号を制御部２１に出力する。制御部２１は、当該検知信号を受け、ユーザーにより入力されたユーザー操作が例えばフリック操作であることを特定する。
【００１８】
撮像部１５は、ＣＣＤ（Charge Coupled Device）やＣＭＯＳ（Complementary Metal Oxide Semiconductor）センサーなどを用いたカメラであり、撮像した撮像画像を表示部１２等に出力する。また、撮像部１５は、ユーザーの操作に応じて、印刷処理の対象となる画像形成装置２（つまり、ユーザーが印刷処理の実行を所望する画像形成装置２）の撮像動作等を行う。
【００１９】
通信部１６は、ＬＡＮボード等の通信モジュールを有しており、当該通信部１６に接続されたネットワークＮを通じて、画像形成装置２との間で種々のデータを送受信する。
【００２０】
記憶部１９は、ＨＤＤ（Hard Disk Drive）などの大容量の記憶装置である。また、記憶部１９は、画像形成装置２での印刷処理の対象となるドキュメントデータと、画像形成装置２の予め定められた撮像画像と、画像形成装置２のＩＰアドレスなどの識別情報と、画像形成装置２の予め定められた機能情報を予め記憶する。この機能情報は、画像形成装置２で実行可能な印刷処理の機能（つまり、実行可能な印刷条件）を示す情報であり、例えばカラー印刷可能かどうかや印刷できる用紙サイズなどを示す情報である。
【００２１】
ドキュメントデータは、例えば情報処理装置１で実行されるワードプロセッサーや表計算ソフト、図面ソフト等のアプリケーションで作成されたファイル、又はjpeg、ＰＤＦ等のイメージデータ等である。但し、このドキュメントデータは、画像形成装置２及びその印刷に適したフォーマットとされておらず、当該画像形成装置２での印刷処理に直接的に用いることはできないデータである。
【００２２】
制御ユニット１１は、プロセッサー、ＲＡＭ(Random Access Memory）、及びＲＯＭ（Read Only Memory）などから構成される。プロセッサーは、例えば、ＣＰＵ（Central Processing Unit）、ＭＰＵ、ＡＳＩＣ等である。この制御ユニット１１は、上記記憶部１９等に記憶された印刷処理プログラムが上記のプロセッサーにより実行されることにより、制御部２１、表示制御部２２、撮像制御部２３、通信制御部２４、ジョブ作成部２５、アイコン作成部２６、特定部２７、及び判断部２８として機能する。なお、制御ユニット１１の制御部２１、表示制御部２２、撮像制御部２３、通信制御部２４、ジョブ作成部２５、アイコン作成部２６、特定部２７、及び判断部２８は、プログラムに基づく動作によらず、それぞれハード回路により構成されてもよい。なお、制御部２１、表示制御部２２、撮像制御部２３、及び通信制御部２４は、特許請求の範囲における動作制御部の一例である。
【００２３】
制御部２１は、画像形成装置１の全体的な動作制御を司る。制御部２１は、タッチパネル１４から出力される検知信号に基づき、タッチパネル１４に対するユーザー操作を受け付ける機能を有する。また、制御部２１は、操作部１３のハードキーに対するユーザー操作を受け付ける機能を有する。また、制御部２１は、ジョブ作成部２５がジョブを作成した場合に、ジョブの一覧を示すジョブリストを作成する。
【００２４】
表示制御部２２は、表示部１２による表示動作を制御する機能を有する。表示制御部２２は、例えば、ジョブ作成処理に必要な設定項目の入力画面、制御部２１が作成したジョブリスト、撮像部１５が撮像した撮像画像、あるいはアイコン作成部２６が作成したアイコンなどを表示部１２に表示させる。また、表示制御部２２は、特定部２７が特定した画像形成装置２を示す画像についてハイライト表示を表示部１２に行わせる。
【００２５】
撮像制御部２３は、撮像部１５による撮像動作を制御する機能を有する。撮像制御部２３は、撮像部１５が撮像した撮像画像を記憶部１９に記憶させる。
【００２６】
通信制御部２４は、通信部１６による通信動作を制御する機能を有する。通信部１６は、通信制御部２４による制御のもと、ネットワークＮを通じて、画像形成装置２との間でデータを送受信する。
【００２７】
ジョブ作成部２５は、上記操作受付部がユーザーから印刷処理の対象となるドキュメントデータを指定する要求と当該印刷処理での印刷条件を指定する要求とを受け付けた場合に、指定されたドキュメントデータと指定された印刷条件とを含んだ印刷処理用のジョブを作成する。また、ジョブ作成部２５は、作成したジョブを記憶部１９に記憶させる。
【００２８】
アイコン作成部２６は、ジョブ作成部２５がジョブを作成した場合に、当該ジョブに対応付けられたアイコンを作成する。また、アイコン作成部２６は、ジョブに含まれた印刷条件でカラー印刷が指定されている場合と、ジョブに含まれた印刷条件でモノクロ印刷が指定されている場合とでは、互いに異なる表示方法で表示部１２に表示されるアイコンを作成する。
【００２９】
特定部２７は、撮像部１５が撮像した画像形成装置２の撮像画像と、記憶部１９に記憶されている撮像画像とのパターンマッチングを行って、撮像部１５が撮像した画像形成装置２を特定する。
【００３０】
判断部２８は、ユーザーが表示部１２に表示された撮像画面上で特定部２７が特定した画像形成装置２に向かってアイコンをフリック操作したことを上記操作受付部が受け付けた場合に、特定した画像形成装置２の機能情報を用いて、フリック操作されたアイコンに対応付けられたジョブにおける印刷条件で当該画像形成装置２において印刷処理を実行することができるかを判断する。
【００３１】
ここで、図３を参照して、画像形成装置２について具体的に説明する。図３は、画像形成装置の要部構成を示す機能ブロック図である。
【００３２】
図３に示すように、画像形成装置２は、例えば、コピー機能、プリンター機能、スキャナー機能、及びファクシミリ機能のような複数の機能を兼ね備えた複合機である。画像形成装置２は、制御ユニット４０を備える。制御ユニット４０は、ＣＰＵ、ＲＡＭ、ＲＯＭ及び専用のハードウェア回路等から構成され、画像形成装置２の全体的な動作制御を司る。
【００３３】
また、画像形成装置２は、原稿読取部３０、原稿給送部３１、印刷部３２、画像メモリー３３、画像処理部３４、操作受付部３５、送受信部３６、及びＨＤＤ３７を備えて構成されている。
【００３４】
操作受付部３５は、画像形成装置２が実行可能な各種動作及び処理についてユーザーからの画像形成動作実行指示や原稿読取動作実行指示等の指示を受け付ける。操作受付部３５は、ユーザーへの操作案内等の各種情報を表示する表示部３５１を備えている。この表示部３５１には、タッチパネル機能を備えるＬＣＤ等が設けられている。
【００３５】
画像形成装置２が原稿読取動作を行う場合、原稿給送部３１により給送されてくる原稿の画像等を原稿読取部３０が光学的に読み取り、画像データを生成する。
【００３６】
画像形成装置２が画像形成動作（すなわち、印刷動作）を行う場合は、上記原稿読取動作により生成された画像データ、後述のプリンタードライバー部によって作成された印刷ジョブ等に基づいて、制御ユニット４０の後述の制御部が、図略の給紙部から給紙される記録媒体としての記録紙に対する印刷処理を印刷部３２に実行させて、当該記録紙上に画像を形成する。
【００３７】
原稿読取部３０は、制御ユニット４０による制御の下、光照射部及びＣＣＤセンサー等を有する読取機構を備える（図示せず）。原稿読取部３０は、光照射部により原稿を照射し、その反射光をＣＣＤセンサーで受光することにより、原稿から画像を読み取り、画像データを生成する。
【００３８】
画像メモリー３３は、原稿読取部３０による読取で得られた原稿画像の画像データを一時的に記憶したり、印刷部３２のプリント対象となる印刷処理用のデータを一時的に保存したりする領域である。
【００３９】
画像処理部３４は、画像メモリー３３から原稿読取部３０で読み取られた画像を読み出して画像処理する。例えば、画像処理部３４は、原稿読取部３０により読み取られた画像が印刷部３２により画像形成された後の品質を向上させるために、シェーディング補正等の予め定められた画像処理を行う。
【００４０】
印刷部３２は、原稿読取部３０で読み取られた画像データや上記プリンタードライバー部で作成された印刷ジョブ等の画像形成を行う。具体的には、印刷部３２が例えばカラー印刷を行う場合、印刷部３２のマゼンタ用の画像形成ユニット、シアン用の画像形成ユニット、イエロー用の画像形成ユニット、及びブラック用の画像形成ユニットは、それぞれに、上記印刷用データを構成するそれぞれの色成分からなる画像に基づいて、帯電、露光、及び現像の工程により感光体ドラム上にトナー像を形成し、当該トナー像を一次転写ローラーにより中間転写ベルト上に転写させる（図示せず）。
【００４１】
上記の中間転写ベルト上に転写される上記各色のトナー画像は、転写タイミングを調整して中間転写ベルト上で重ね合わされ、カラーのトナー像となる。２次転写ローラーは、中間転写ベルトの表面に形成された当該カラーのトナー像を、中間転写ベルトを挟んで駆動ローラーとのニップ部において、上記の給紙部から搬送路を搬送されてきた記録紙に転写させる（図示せず）。この後、定着部が、記録紙上のトナー像を、熱圧着により記録紙に定着させる（図示せず）。定着処理の完了したカラー画像形成済みの記録紙は、図略の排出トレイに排出される。
【００４２】
送受信部３６は、通信モジュールを備える通信インターフェイスであり、当該送受信部３６に接続されたネットワークＮを通じて、情報処理装置１との間で種々のデータを送受信する。なお、送受信部３６は、特許請求の範囲における受信部の一例である。
【００４３】
ＨＤＤ（ハードディスクドライブ）３７は、原稿読取部３０によって読み取られた原稿画像等を記憶する大容量の記憶装置である。また、ＨＤＤ３７には、プリンタードライバーＰＤが予め記憶されている。
【００４４】
制御ユニット４０は、ＣＰＵ、ＲＯＭ及びＲＡＭ等からなり、画像形成装置１の全体的な動作を司る。制御ユニット４０は、制御部４１、及びプリンタードライバー部４２を備えている。
【００４５】
制御ユニット４０は、プロセッサー、ＲＡＭ(Random Access Memory）、及びＲＯＭ（Read Only Memory）などから構成される。プロセッサーは、例えば、ＣＰＵ（Central Processing Unit）、ＭＰＵ、ＡＳＩＣである。この制御ユニット４０は、上記ＨＤＤ３７等に記憶された印刷実行プログラムが上記のプロセッサーで実行されることにより、制御部４１として機能する。なお、制御部４１は、上記印刷実行プログラムに基づく動作によらず、それぞれハード回路により構成されてもよい。以下、特に触れない限り、各実施形態について同様である。また、上記プロセッサーが、ＨＤＤ３７に記憶されたプリンタードライバーＰＤを実行することにより、プリンタードライバー部４２として機能する。
【００４６】
制御部４１は、画像形成装置１の全体的な動作を司るものであり、原稿読取部３０、原稿給送部３１、印刷部３２、画像メモリー３３、操作受付部３５、送受信部３６、及びＨＤＤ３７等と接続され、これら各部の駆動制御を行う。
【００４７】
プリンタードライバー部４２は、送受信部３６が情報処理装置１から受信したジョブに含まれたドキュメントデータを、印刷部３２に適したプリンター言語からなるデータに変換し、変換したプリンター言語からなるデータを用いて、受信したジョブに含まれた印刷条件に従って作成した印刷対象データを含んだ印刷ジョブ（例えば、ＰＲＮファイル）を作成する。
【００４８】
次に、本実施形態の画像形成システム１００での動作について具体的に説明する。まず図４及び図５を参照して、本実施形態の情報処理装置１の動作について具体的に説明する。図４は、情報処理装置での処理の流れを示すフローチャートである。図５は、情報処理装置での他の処理の流れを示すフローチャートである。以下の説明では、最初に図４を参照して、ジョブの作成処理について具体的に説明する。
【００４９】
制御部２１は、ユーザーにより、ジョブの作成を指示する要求を上記操作受付部が受け付けたかどうかを判別する（Ｓ１）。例えば、表示制御部２２は、図６に例示するように、ジョブ作成キー１４Ａと、送信キー１４Ｂとを表示部１２に表示させる。そして、制御部２１は、図６に示した表示画面において、ジョブ作成キー１４Ａがユーザーに指定されたがどうかを検出することにより、ジョブの作成を指示する要求が行われたかどうかを判別する。制御部２１は、ジョブ作成キー１４Ａが指定されたことをタッチパネル１４が検出していなければ（Ｓ１でＮＯ）、情報処理装置１を待機状態とする。
【００５０】
一方、制御部２１は、ユーザーによりジョブ作成キー１４Ａが指定され、タッチパネル１４により受け付けられたことを検出した場合は（Ｓ１でＹＥＳ）、ジョブの作成の指示が要求されたと判断する。
【００５１】
次に、制御部２１は、ユーザーにより、印刷処理の対象となるドキュメントデータが指定されたかどうかを判別する（Ｓ２）。例えば、表示制御部２２は、図７Ａに示すように、印刷処理の対象となるドキュメントデータの指定を促す表示、例えば印刷処理の対象となるドキュメントデータを指定する指定欄１４Ｃを表示部１２に表示させる。そして、制御部２１は、指定欄１４Ｃが指定されたことをタッチパネル１４が検出していなければ（Ｓ２でＮＯ）、情報処理装置１を待機状態とする。
【００５２】
一方、制御部２１は、ユーザーにより指定欄１４Ｃが指定され、タッチパネル１４により受け付けられたことを検出した場合は（Ｓ２でＹＥＳ）、上記ドキュメントデータの指定処理が要求されたと判断する。そして、表示制御部２２は、記憶部１９のドキュメントフォルダ１９Ａに予め記憶されているドキュメントデータのファイル名、例えば「文章１.pdf」、「文章２.txt」、及び「文章３.pdf」を表示部１２に表示させる（図示せず）。そして、例えば、制御部２１は、ユーザーにより「文章１.pdf」が指定され、タッチパネル１４により受け付けられたことを検出した場合は、指定されたドキュメントデータとして当該「文章１.pdf」のドキュメントデータを設定する（Ｓ４）。そして、表示制御部２２は、図７Ａに示すように、指定欄１４Ｃ内に指定されたドキュメントデータのファイル名「文章１.pdf」を表示させる。
【００５３】
次に、制御部２１は、ユーザーにより、印刷処理での印刷条件が指定されたかどうかを判別する（Ｓ５）。例えば、表示制御部２２は、図７Ａに示すように、印刷条件を設定する条件設定キー１４Ｄ、例えば両面印刷キー１４Ｄ１、頁集約キー１４Ｄ２、及び印刷部数キー１４Ｄ３を表示部１２に表示させる。そして、制御部２１は、条件設定キー１４Ｄが指定されたことをタッチパネル１４が検出していなければ（Ｓ５でＮＯ）、情報処理装置１を待機状態とする。
【００５４】
一方、制御部２１は、ユーザーにより条件設定キー１４Ｄが指定され、タッチパネル１４により受け付けられたことを検出した場合は（Ｓ５でＹＥＳ）、上記印刷条件の指定が要求されたと判断する。そして、制御部２１は、指定された印刷条件を設定する（Ｓ６）。例えば、制御部２１は、ユーザーにより、図7Ａに示す表示画面において、両面印刷キー１４Ｄ１が指定され、タッチパネル１４により受け付けられたことを検出した場合は、表示制御部２２は、両面印刷を行うか否かの指定を促す表示を表示部１２に行わせる（図示せず）。そして、制御部２１は、例えば、ユーザーにより、両面印刷を行うこと（オン）が指定され、タッチパネル１４により受け付けられたことを検出した場合は、印刷条件として、両面印刷を行うことを設定する。一方、制御部２１は、ユーザーにより、両面印刷を行わないこと（オフ）が指定され、タッチパネル１４により受け付けられたことを検出した場合は、印刷条件として、両面印刷を行わないこと、つまり片面印刷を行うことを設定する。そして、表示制御部２２は、図７Ａに示すように、両面印刷キーの表示箇所に指定された「オフ」を表示させる。なお、制御部２１が、両面印刷を行うことを設定した場合には、表示制御部２２は、両面印刷キーの表示箇所に指定された「オン」を表示させる（図示せず）。
【００５５】
また、例えば、制御部２１は、ユーザーにより、図7Ａに示す表示画面において、頁集約キー１４Ｄ２が指定され、タッチパネル１４により受け付けられたことを検出した場合は、表示制御部２２は、頁集約を行うか否かの指定を促す表示を表示部１２に行わせる（図示せず）。そして、制御部２１は、例えば、ユーザーにより、頁集約を行うこと（オン）が指定され、タッチパネル１４により受け付けられたことを検出した場合は、「２in１」や「４in１」等の具体的な頁集約の指定を促す表示を表示部１２に行わせる（図示せず）。そして、制御部２１は、ユーザーにより、例えば「２in１」の頁集約が指定され、タッチパネル１４により受け付けられたことを検出した場合は、印刷条件として、「２in１」の頁集約を設定する。そして、表示制御部２２は、頁集約キー１４Ｄ２の箇所に設定された「２in１」を表示させる（図示せず）。一方、制御部２１は、ユーザーにより、頁集約を行わないこと（オフ）が指定され、タッチパネル１４により受け付けられたことを検出した場合は、印刷条件として、頁集約を行わないことを設定する。そして、表示制御部２２は、図７Ａに示すように、頁集約キー１４Ｄ２の表示箇所に指定された「オフ」を表示させる。
【００５６】
また、例えば、制御部２１は、ユーザーにより、図7Ａに示す表示画面において、印刷部数キー１４Ｄ３が指定され、タッチパネル１４により受け付けられたことを検出した場合は、表示制御部２２は、印刷部数の指定を促す表示を表示部１２に行わせる（図示せず）。例えば、表示制御部２２は、印刷部数の数字を入力させるために、テンキーを表示部１２に表示させる（図示せず）。そして、制御部２１は、ユーザーにより、例えば「１」が指定され、タッチパネル１４により受け付けられたことを検出した場合は、印刷部数として１部が指定されたと判断し、印刷条件として、１部の印刷部数を設定する。また、表示制御部２２は、図７Ａに示すように、印刷部数キーの表示箇所に指定された印刷部数「１部」を表示させる。
【００５７】
次に、制御部２１は、ジョブの作成の指示を上記操作受付部が受け付けたかどうかを判別する（Ｓ７）。例えば、制御部２１は、図７Ａに示した表示画面において、設定キー１４Ｅがユーザーに指定されたがどうかを検出することにより、ジョブの作成の指示が行われたかどうかを判別する。制御部２１は、設定キー１４Ｅが指定されたことをタッチパネル１４が検出していなければ（Ｓ７でＮＯ）、情報処理装置１を待機状態とする。
【００５８】
一方、制御部２１は、ユーザーにより設定キー１４Ｅが指定され、タッチパネル１４により受け付けられたことを検出した場合は（Ｓ７でＹＥＳ）、ジョブの作成の指示が要求されたと判断する。そして、ジョブ作成部２５は、上記Ｓ２で指定されたドキュメントデータ（例えば、「文書１.pdf」）と、上記Ｓ５で指定された印刷条件（例えば、「両面印刷；オフ」、「頁集約；オフ」、「印刷部数；１部」）とを含んだ印刷処理用のジョブ（例えば、「ジョブ１」）を作成する（Ｓ８）。また、このように、ジョブ作成部２５がジョブを作成した場合、当該ジョブ作成部２５は、作成したジョブを記憶部１９に記憶させる。例えば、ジョブ作成部２５は、図７Ｃに示すように、記憶部１９のジョブフォルダ１９Ｂに、当該ジョブ作成部２５によって作成された「ジョブ１」、「ジョブ２」、及び「ジョブ３」を記憶させる。また、制御部２１は、ジョブ作成部２５によって作成された「ジョブ１」、「ジョブ２」、及び「ジョブ３」の一覧を示すジョブリストを作成して、記憶部１９に記憶させる。
【００５９】
次に、アイコン作成部２６は、ジョブ作成部２５が作成したジョブに対応付けられたアイコンを作成する（Ｓ９）。例えば、アイコン作成部２６は、ジョブ作成部２５によって作成された「ジョブ１」、「ジョブ２」、及び「ジョブ３」に対応付けて、それぞれ順に、後述のアイコンＪ１、アイコンＪ２、及びアイコンＪ３を作成する。また、このように、アイコン作成部２６がアイコンを作成した場合に、制御部２１は、作成されたアイコンを記憶部１９に記憶させる。以上のＳ１〜Ｓ６に示した処理を行うことにより、情報処理装置１では、画像形成装置２での印刷処理用の一つのジョブ（データ）が作成されて記憶部１９に記憶される。
【００６０】
次に、図５を参照して、本実施形態の情報処理装置１でのジョブの送信処理について具体的に説明する。
【００６１】
制御部２１は、ユーザーにより、ジョブの送信を指示する要求を上記操作受付部が受け付けたかどうかを判別する（Ｓ１１）。例えば、制御部２１は、図６に示した表示画面において、送信キー１４Ｂがユーザーに指定されたかどうかを検出することにより、ジョブの送信を指示する要求が行われたかどうかを判別する。制御部２１は、送信キー１４Ｂが指定されたことをタッチパネル１４が検出していなければ（Ｓ１１でＮＯ）、情報処理装置１を待機状態とする。
【００６２】
一方、制御部２１は、ユーザーにより送信キー１４Ｂが指定され、タッチパネル１４により受け付けられたことを検出した場合は（Ｓ１１でＹＥＳ）、ジョブの送信の指示が要求されたと判断する。そして、表示制御部２２は、印刷処理の対象（つまり、送信処理の対象）となるジョブの指定を促す表示と、ジョブリストの表示を表示部１２に行わせる（Ｓ１２）。
【００６３】
例えば、表示制御部２２は、図８に示すように、ユーザーに対して印刷処理の対象となるジョブの指定を促す指定画面１４Ｆと、この指定画面１４Ｆ内に配置されたジョブリスト（例えば、「ジョブ１」、「ジョブ２」、及び「ジョブ３」）とを表示部１２に表示させる。また、表示制御部２２は、同図８に示すように、「ジョブ１」、「ジョブ２」、及び「ジョブ３」をユーザーが指定可能とするために、ユーザーに操作されたことを示すための画像を表示するチェック欄１４Ｇ、１４Ｈ、及び１４Ｉを表示部１２に表示させる。このように、本実施形態の情報処理装置１では、ジョブリストを表示させているので、ユーザーは印刷処理の対象となるジョブの選択を容易に行うことができる。
【００６４】
続いて、制御部２１は、印刷処理の対象（送信処理の対象）となるジョブを指定する要求がユーザーから操作受付部３５に受け付けられたかどうかを判別する（Ｓ１３）。すなわち、制御部２１は、ユーザーが印刷処理の実行を所望するジョブが指定されたかどうかを判別する。例えば、制御部２１は、図８に示した表示画面において、チェック欄１４Ｇ、１４Ｈ、及び１４Ｉがユーザーに指定されたかどうかを判別する。そして、制御部２１は、チェック欄１４Ｇ、１４Ｈ、及び１４Ｉが指定されたことをタッチパネル１４が検出していなければ（Ｓ１３でＮＯ）、情報処理装置１を待機状態とする。
【００６５】
一方、制御部２１は、例えば、ユーザーによりチェック欄１４Ｇ、１４Ｈ、及び１４Ｉが指定され、これがタッチパネル１４により受け付けられたこと（図８に「レ」の画像にて図示）を検出した場合は（Ｓ１３でＹＥＳ）、印刷処理の対象とするジョブとして、「ジョブ１」、「ジョブ２」、及び「ジョブ３」が指定されたと判断する。そして、制御部２１は、指定されたジョブ１〜３毎に、以下の処理を実行させる。尚、以下の説明では、ジョブ１に対する処理を例示して説明する。
【００６６】
そして、撮像制御部２３は、印刷処理の対象として指定される画像形成装置２（つまり、ユーザーが印刷処理の実行を所望する画像形成装置２）を特定するために、撮像部１５の撮像動作の開始を指示する要求を上記操作受付部が受け付けたかどうかを判別する（Ｓ１４）。例えば、撮像制御部２３は、図８に示した表示画面において、撮像キー１４Ｊがユーザーに指定されたかどうかを判別する。そして、制御部２１は、撮像キー１４Ｊが指定されたことをタッチパネル１４が検出していなければ（Ｓ１４でＮＯ）、情報処理装置１を待機状態とする。
【００６７】
一方、撮像制御部２３は、ユーザーにより撮像キー１４Ｊが指定され、これがタッチパネル１４により受け付けられたことを検出した場合は（Ｓ１４でＹＥＳ）、撮像部１５を起動して撮像動作を行わせる。そして、表示制御部２２は、撮像部１５が撮像した撮像画像を表示部１２に表示させる（Ｓ１５）。
【００６８】
続いて、表示制御部２２は、撮像部１５が撮像した撮像画像に加えて、アイコン作成部２６が作成したアイコンを撮像画面として表示部１２に表示させる（Ｓ１６）。例えば、表示制御部２２は、図９Ａに示すように、撮像部１５が撮像した２つの画像形成装置２の撮像画像ＧＰ１及び撮像画像ＧＰ２と、アイコン作成部２６が作成したアイコンＪ１、アイコンＪ２、及びアイコンＪ３とを表示部１２の一つの撮像画面として表示させる。なお、アイコン作成部２６は、ジョブに含まれた印刷条件でカラー印刷が指定されている場合と、ジョブに含まれた印刷条件でモノクロ印刷が指定されている場合とでは、互いに異なる表示方法で表示部１２に表示されるアイコンを作成している。例えば、アイコン作成部２６は、図９Ａに示すように、カラー印刷が指定されているジョブ１及びジョブ３に対応付けられたアイコンＪ１及びアイコンＪ３では、実線で表示されたアイコンを作成し、モノクロ印刷が指定されているジョブ２に対応付けられたアイコンＪ２では、点線で表示されたアイコンを作成している。これにより、本実施形態の情報処理装置１では、ユーザーはアイコンを視認するだけで、カラー印刷及びモノクロ印刷のいずれが指定されているかを容易に判別することができる。
【００６９】
次に、制御部２１は、撮像部１５が撮像した画像形成装置２を特定部２７が特定したかどうかを判別する（Ｓ１７）。つまり、制御部２１は、特定部２７が撮像部１５によって撮像された画像形成装置２の撮像画像と、記憶部１９に記憶されている画像形成装置２の撮像画像とのパターンマッチングを行って、ユーザーが印刷処理に用いるために指定した画像形成装置２として撮像部１５によって撮像された画像形成装置２を特定したかどうかを判別する。そして、制御部２１は、特定部２７が撮像部１５によって撮像された画像形成装置２を特定しなければ（Ｓ１７でＮＯ）、情報処理装置１を待機状態とする。
【００７０】
一方、制御部２１は、特定部２７が撮像部１５によって撮像された画像形成装置２を特定したことを判別すれば（Ｓ１７でＹＥＳ）、表示制御部２２は、特定された画像形成装置２を示す画像についてハイライト表示を表示部１２に行わせる（Ｓ１８）。例えば、撮像画像ＧＰ１及び撮像画像ＧＰ２の各画像形成装置２が特定部２７に特定された場合（つまり、上記機能情報及びＩＰアドレスなどが予め記憶部１９に記憶されている画像形成装置２であると判別された場合）、表示制御部２２は、図９Ｂに二点鎖線にて示すように、撮像画像ＧＰ１及び撮像画像ＧＰ２の各画像形成装置２を示す画像について、表示部１２にハイライト表示を行わせる。このように、本実施形態の情報処理装置１では、特定部２７に特定された画像形成装置２を示す画像についてハイライト表示を行わせているので、ユーザーに対して印刷処理可能な画像形成装置２を容易に判別させることができる。
【００７１】
また、表示制御部２２は、例えばユーザーにより画像形成装置２の撮像画像の拡大表示の要求がタッチパネル１４により受け付けられたことを検出した場合は、この要求に従って当該撮像画像の拡大表示を表示部１２に行わせる。例えば、表示制御部２２は、図１０Ａに両矢印にて示すように、ユーザーにより画像形成装置２の撮像画像ＧＰ２に対して、ユーザーによりピンチアウト操作ＰＯが行われたことがタッチパネル１４により受け付けられたことを検出した場合は、このピンチアウト操作に従って、図１０Ｂに示すように、撮像画像ＧＰ２を拡大表示した表示画面を表示部１２に表示させる。
【００７２】
そして、制御部２１は、ユーザーが上記撮像画面上で特定部２７が特定した画像形成装置２に向かってアイコンをフリック操作したことを上記操作受付部が受け付けたかどうかを判別する（Ｓ１９）。つまり、制御部２１は、ユーザーがフリック操作の対象とすることによって印刷処理を所望する画像形成装置２を指定して、その指定した画像形成装置２に印刷処理の対象となるジョブの送信を指示したかどうかを判別する。そして、制御部２１は、上記フリック操作が行われたことをタッチパネル１４が検出していなければ（Ｓ１９でＮＯ）、情報処理装置１を待機状態とする。
【００７３】
一方、制御部２１は、上記フリック操作が行われたことをタッチパネル１４が検出していれば（Ｓ１９でＹＥＳ）、フリック操作が行われたアイコンに対応付けられたジョブを印刷処理させる画像形成装置２がユーザーによって指定されたと判断する。例えば、制御部２１は、図１１に矢印にて示すように、ユーザーにより、アイコンＪ１について画像形成装置２の撮像画像ＧＰ２に向かってフリック操作ＦＯが行われたことをタッチパネル１４が検出していれば、当該アイコンＪ１に対応付けられたジョブ１の印刷処理を行う画像形成装置２として、撮像画像ＧＰ２の画像形成装置２がユーザーによってフリック操作ＦＯの対象とされることで指定されたと判断する。
【００７４】
続いて、判断部２８は、フリック操作の対象とされた特定部２７が特定した撮像画像ＧＰ２の画像形成装置２の機能情報を用いて、当該フリック操作されたアイコン１に対応付けられたジョブ１における印刷条件で当該画像形成装置２において印刷処理を実行することができるかを判断する（Ｓ２０）。例えば、判断部２８は、記憶部１９に予め記憶された画像形成装置２の機能情報と、上記ジョブ１に含まれた印刷条件とを比較し、当該ジョブ１に含まれた印刷条件が実行可能な印刷条件であるか否かについて判別することによって、撮像画像ＧＰ２の画像形成装置２において当該ジョブ１に含まれた印刷条件で印刷可能か否かについて判断する。そして、判断部２８が、上記撮像画像ＧＰ２の画像形成装置２において、ジョブ１における印刷条件で当該ジョブ１について印刷処理を実行することができると判断した場合には（Ｓ２０でＹＥＳ）、処理は、後述のＳ２５に進む。
【００７５】
一方、判断部２８が、上記撮像画像ＧＰ２の画像形成装置２において、ジョブ１における印刷条件で当該ジョブ１について印刷処理を実行することができないと判断した場合には（Ｓ２０でＮＯ）、通信制御部２４は、指示されたアイコンＪ１に対応付けられたジョブ１を、通信部１６からネットワークＮを通じて特定した撮像画像ＧＰ２の画像形成装置２に向けて送信させることを中止する。これにより、本実施形態の情報処理装置１では、実行不可能な印刷条件を含んだジョブを画像形成装置２に送信することを防ぐことができ、当該画像形成装置２での不必要な処理負荷の発生を防止することができる。
【００７６】
また、表示制御部２２は、印刷処理を実行することができない旨のエラー表示を表示部１２に行わせる（Ｓ２１）。例えば、表示制御部２２は、図１２に示すように、指定された（撮像画像ＧＰ２の）画像形成装置２ではジョブに含まれた印刷条件で印刷処理が行えない旨の表示と、当該画像形成装置２で行える印刷条件に変更するかについての問い合わせ等の表示とを表示部１２に行わせる。また、表示制御部２２は、図１２に示した表示画面において、ユーザーにより、ＯＫキー１４Ｋが指定されたことをタッチパネル１４により受け付けられたことを検出した場合は、当該表示画面の代わり、図９Ｂに示した撮像画面を表示させる。なお、この説明以外に、図１２に示した表示画面を表示した後、予め定められた時間が経過した後に、表示制御部２２が、当該表示画面の代わりに、図９Ｂに示した撮像画面を表示させる構成でもよい。
【００７７】
次に、制御部２１は、図９Ｂに示した撮像画面上において、アイコンＪ１に対する予め定められた操作を上記操作受付部が受け付けたかどうかを判別する（Ｓ２２）。つまり、制御部２１は、アイコンＪ１に対して、予め定められた操作として、例えば当該アイコンＪ１を時計回りに回転させる操作が行われ、これをタッチパネル１４が検出したかどうかを判別することにより、ユーザーにより、撮像画像ＧＰ２の画像形成装置２で実行可能な印刷条件への変更が指示されたかどうかを判別する。また、このように、本実施形態では、上記予め定められた操作として、上記フリック操作とは異なる、アイコンＪ１を時計回りに回転させる操作が用いられているので、印刷条件が変更されて印刷処理が行われることをユーザーに確実に認識させた上で印刷に用いる画像形成装置２を指定させることができる。
【００７８】
そして、制御部２１は、ユーザーにより、アイコンＪ１に対する予め定められた上記操作が行われ、これをタッチパネル１４が検出した場合には（Ｓ２２でＹＥＳ）、記憶部１９に記憶されている、撮像画像ＧＰ２の画像形成装置２の機能情報を用いて、ジョブ１における印刷条件（例えば、カラー印刷）を当該画像形成装置２で実行可能な印刷条件（例えば、モノクロ印刷）に変更する（Ｓ２３）。このように、本実施形態の情報処理装置１では、上記画像形成装置２で印刷可能な印刷条件に変更するので、ユーザーが印刷処理を所望する当該画像形成装置２を優先して印刷処理を行わせることができる。
【００７９】
続いて、制御部２１は、ユーザーがＳ２３で印刷条件を変更したジョブ１に対応付けられたアイコンＪ１をフリック操作したことを上記操作受付部が受け付けたかどうかを判別する（Ｓ２４）。そして、制御部２１は、このフリック操作が行われたことをタッチパネル１４が検出していなければ（Ｓ２４でＮＯ）、情報処理装置１を待機状態とする。
【００８０】
一方、制御部２１は、上記フリック操作が行われたことをタッチパネル１４が検出していれば（Ｓ２４でＹＥＳ）、Ｓ２３で印刷条件を変更したジョブ１の送信が指示されたと判断する。例えば、制御部２１は、図１３に矢印にて示すように、ユーザーにより、アイコンＪ１に対して、回転操作ＦＯ１が行われた後、撮像画像ＧＰ２に向かってフリック操作ＦＯ２が行われたことをタッチパネル１４が検出していれば、撮像画像ＧＰ２の画像形成装置２に対する、Ｓ２３で印刷条件を変更したジョブ１の送信が指示されたと判断する。
【００８１】
そして、通信制御部２４は、変更した印刷条件を含んだジョブ１を、通信部１６からネットワークＮを通じて撮像画像ＧＰ２の画像形成装置２に向けて送信させる（Ｓ２５）。また、上記Ｓ２０でＹＥＳの場合、つまり判断部２８が、上記撮像画像ＧＰ２の画像形成装置２において、ジョブ１における印刷条件で当該ジョブ１について印刷処理を実行することができると判断した場合には、通信制御部２４は、当該ジョブ１を、通信部１６からネットワークＮを通じて撮像画像ＧＰ２の画像形成装置２に向けて送信させる（Ｓ２５）。例えば、通信制御部２４は、特定部２７が特定した画像形成装置、例えば撮像画像ＧＰ２の画像形成装置２のＩＰアドレスを記憶部１９から取得し、取得したＩＰアドレスを用いて、フリック操作されたアイコンＪ１に対応付けられたジョブ１、又は変更した印刷条件を含んだジョブ１を、通信部１６からネットワークＮを通じて、特定した撮像画像ＧＰ２の画像形成装置２に向けて送信させる。このように、情報処理装置１は、画像形成装置２のＩＰアドレスを用いて、画像形成装置２に向けてのジョブの送信を行っているので、当該ジョブの送信を確実に、かつ、安全に行うことができる。
【００８２】
続いて、制御部２１は、上記Ｓ１３で指定された全てのジョブについての送信処理が終了したかを判別する（Ｓ２６）。そして、制御部２１は、送信処理が終了していないジョブを検出した場合は、当該ジョブの送信処理を実行する必要があると判断して、処理は、上記Ｓ１４に戻って処理をやり直す。一方、制御部２１は、上記指定された全てのジョブについて送信処理が終了したことを検出すれば、処理動作を終了させる。
【００８３】
また、制御部２１は、ユーザーにより、アイコンＪ１に対する予め定められた上記操作をタッチパネル１４が検出しなければ（Ｓ２２でＮＯ）、Ｓ１７に示したエラー表示の後、図９Ｂに示した撮像画像を表示させた時点から予め定められた時間が経過したかどうかを判別する（Ｓ２７）。そして、制御部２１は、予め定められた時間が経過していなければ（Ｓ２７でＮＯ）、情報処理装置１を待機状態とする。
【００８４】
一方、制御部２１は、予め定められた時間が経過したことを検出すれば（Ｓ２７でＹＥＳ）、撮像画像ＧＰ１の画像形成装置２に対するジョブ１の送信処理は中止されたと判断して、処理は上記Ｓ２６に進む。
【００８５】
次に、図１４を参照して本実施形態の画像形成装置２の動作について具体的に説明する。図１４は、画像形成装置での処理の流れを示すフローチャートである。なお、以下の説明では、情報処理装置１からジョブが送信されてきた場合での動作について主に説明する。
【００８６】
制御部４１は、送受信部３６が情報処理装置１からのジョブを受信したかどうかを判別する（Ｓ３１）。制御部４１は、情報処理装置１からのジョブを受信していないこと判別すれば（Ｓ３１でＮＯ）、画像形成装置２を待機状態とする。
【００８７】
一方、制御部４１は、送受信部３６が情報処理装置１からのジョブを受信したことを判別すれば、プリンタードライバー部４２は、送受信部３６が受信したジョブに含まれたドキュメントデータを、印刷部３２に適したプリンター言語からなるデータに変換し、変換したプリンター言語からなるデータを用いて、受信した当該ジョブに含まれた印刷条件に従って作成した印刷対象データを含んだ印刷ジョブを作成する（Ｓ３２）。
【００８８】
続いて、制御部４１は、プリンタードライバー部４２がＳ３２で作成した印刷ジョブに基づく印刷処理を印刷部３２に行わせる（Ｓ３３）。これにより、情報処理装置１から送信されてきたジョブが、画像形成装置２で印刷処理されて、印刷物としてユーザーに提供される。
【００８９】
以上のように本実施形態の情報処理装置１では、記憶部１９は画像形成装置２での印刷処理の対象となるドキュメントデータと、画像形成装置２の予め定められた撮像画像とを予め記憶する。ジョブ作成部２５は、ユーザーから印刷処理の対象となるドキュメントデータを指定する要求と当該印刷処理での印刷条件を指定する要求とを受け付けた場合に、指定されたドキュメントデータと指定された印刷条件とを含んだ印刷処理用のジョブを作成する。アイコン作成部２６は、ジョブ作成部２５がジョブを作成した場合に、当該ジョブに対応付けられたアイコンを作成する。特定部２７は、撮像部１５が撮像した画像形成装置２の撮像画像と、記憶部１９に記憶されている撮像画像とのパターンマッチングを行って、撮像部１５が撮像した画像形成装置２を特定する。通信制御部２４は、ユーザーが上記撮像画面上で特定部２７が特定した画像形成装置２に向かってアイコンをフリック操作したことをタッチパネル（操作受付部）１４が受け付けた場合、フリック操作されたアイコンに対応付けられたジョブを、通信部１６からネットワークＮを通じて特定した画像形成装置２に向けて送信させる。これにより、本実施形態の情報処理装置１では、上記従来例と異なり、複数の画像形成装置２の中から情報処理装置１側の操作によって印刷処理を実行させる場合に、印刷に用いる画像形成装置２を指定する操作性を向上して当該画像形成装置２での印刷処理を簡易に行うことができる。また、本実施形態の情報処理装置１及び画像形成装置２では、上記従来例と異なり、ＧＰＳ装置などの位置情報を取得するための専用の装置の設置を割愛することができ、構造簡単でコスト安価な情報処理装置１及び画像形成装置２を容易に構成することができる。
【００９０】
なお、上記の説明では、ＩＰアドレスを用いて、情報処理装置１から画像形成装置２にジョブを送信する構成について説明したが、本発明はこれに限定されない。例えば、情報処理装置１及び画像形成装置２において、例えばブルートゥース（登録商標）などの近距離無線通信規格に基づき、近距離通信を行うデータ通信部を設けて、ジョブを送受信させる構成でもよい。
【００９１】
なお、上記実施形態において、図１乃至図１４を用いて上記実施形態により示した構成及び処理は、本発明の一実施形態に過ぎず、本発明を当該構成及び処理に限定する趣旨ではない。
【符号の説明】
【００９２】
１      情報処理装置
１２    表示部
１３    操作部（操作受付部）
１４    タッチパネル（操作受付部）
１５    撮像部
１６    通信部
１９    記憶部
２１    制御部（動作制御部）
２２    表示制御部（動作制御部）
２３    撮像制御部（動作制御部）
２４    通信制御部（動作制御部）
２５    ジョブ作成部
２６    アイコン作成部
２７    特定部
２８    判断部
２      画像形成装置
３２    印刷部
３６    送受信部（受信部）
４１    制御部
４２    プリンタードライバー部
１００  画像形成システム
【図１】
2018133052.tif 000003
【図２】
2018133052.tif 000004
【図３】
2018133052.tif 000005
【図４】
2018133052.tif 000006
【図５】
2018133052.tif 000007
【図６】
2018133052.tif 000008
【図７Ａ】
2018133052.tif 000009
【図７Ｂ】
2018133052.tif 000010
【図７Ｃ】
2018133052.tif 000011
【図８】
2018133052.tif 000012
【図９Ａ】
2018133052.tif 000013
【図９Ｂ】
2018133052.tif 000014
【図１０Ａ】
2018133052.tif 000015
【図１０Ｂ】
2018133052.tif 000016
【図１１】
2018133052.tif 000017
【図１２】
2018133052.tif 000018
【図１３】
2018133052.tif 000019
【図１４】
2018133052.tif 000020